(57)【要約】【課題】簡単な操作で素早く錠剤９を半錠づつに分割することが可能になり、迅速で効率的な調剤を実現できる錠剤分割装置１を提供する。【解決手段】支持板部４は、容器２内を上部室５と下部室６とに仕切るように配され、割線８を有する錠剤９が供される。膨出部７は支持板部４に形成されている。鏡体部１０は、膨出部７に置かれた錠剤９の割線８を使用者が視認できるように映す。錠剤９の分割時、支持板部４上の錠剤９を膨出部７に移動して錠剤９の割線８を挟む両側を押圧する。錠剤９を膨出部７に対して押圧するだけの簡単な操作で錠剤９の分割を素早く行うことができる。【選択図】図３
2005185774.tif 000002
【特許請求の範囲】
【請求項１】
容器内を上部室と下部室とに仕切るように配され、割線を有する錠剤が供される支持板部と、
この支持板部に形成された盛上部とを備え、
前記錠剤の分割時に前記支持板部上の錠剤を前記盛上部に移動し、前記盛上部で前記錠剤の前記割線を挟む両側を押圧して破断することを特徴とする錠剤分割装置。
【請求項２】
前記盛上部に置かれる前記錠剤の割線のうち、下面に位置する割線の像を使用者が視認できるように映す鏡体部を有することを特徴とする請求項１に記載の錠剤分割装置。
【請求項３】
前記盛上部は、前記支持板部から上方に膨出する膨出部であり、この膨出部で分割された錠剤は、前記上部室から前記下部室に落下して分離収容されることを特徴とする請求項１に記載の錠剤分割装置。
【請求項４】
前記支持板部には、この支持板部上の錠剤を自重により滑り落として集合させる窪み部が形成されていることを特徴とする請求項１に記載の錠剤分割装置。
【請求項５】
前記支持板部は、分割時に前記錠剤を押し当てて反転させるための突部を前記盛上部の基端部に形成していることを特徴とする請求項１に記載の錠剤分割装置。
【請求項６】
前記盛上部は、前記支持板部の略中央部に形成した凹部の内底部に、上方に突き出る膨出部として形成され、前記錠剤の分割時に前記錠剤を前記凹部に配置して前記膨出部に押圧することを特徴とする請求項１に記載の錠剤分割装置。
【請求項７】
前記凹部の内底部には、押圧により分割された前記錠剤を通過させる通過孔が形成されていることを特徴とする請求項６に記載の錠剤分割装置。
【請求項８】
前記錠剤の分割時にシート状の指袋により指を覆って前記錠剤を押圧することを特徴とする請求項１ないし請求項７のいずれかに記載の錠剤分割装置。
【発明の詳細な説明】
【技術分野】
【０００１】
本発明は、調剤時に錠剤を半錠づつ割線で割るための錠剤分割装置に関する。
【背景技術】
【０００２】
症状緩和のために服用する錠剤では、衛生上の観点から薬瓶に取付けられて手を触れることなく錠剤数を定量調整したり、適量の錠剤を取出すことができる道具がある（例えば特許文献１）。しかしながら、特許文献１には、薬局などで割線を有する錠剤を扱う場合、錠剤を割線に沿って半錠づつ分ける際の調剤行為については何ら記載されていないものである。
【特許文献１】特開平８−３１０５７４号公報
【発明の開示】
【発明が解決しようとする課題】
【０００３】
錠剤の分割時には、調剤に用いる薬用スプーンの裏側に、両手の親指で錠剤を押し当てて半錠づつに分割することが一般的である。このため、薬局などで処方箋により多量の錠剤を分割する場合、分割に手間がかかり非効率的で迅速な調剤を行えないという不都合がある。
【０００４】
本発明は上記事情に鑑みてなされたもので、その目的は簡単な操作で素早く錠剤を半錠づつに分割することが可能になり、迅速で効率的な調剤を実現できる錠剤分割装置を提供することにある。
【課題を解決するための手段】
【０００５】
（請求項１について）
支持板部は、容器内を上部室と下部室とに仕切るように配され、割線を有する錠剤が供される。支持板部には盛上部が形成されている。錠剤の分割時、割線が上面になった表向きの錠剤については、割線を直接視認できるので、そのまま盛上部で錠剤の割線を挟む両側を押圧し、割線に沿って半錠づつに破断する。割線が下面になった裏向きの錠剤については、錠剤を割線が上面になるように表向きに反転させて錠剤の割線を挟む両側を盛上部に移動して押圧し、割線に沿って半錠づつに破断する。
この結果、錠剤をそのまま、あるいは表向きに反転して盛上部に移動して押圧するだけの簡単な操作で錠剤の分割を素早く行うことができて迅速で効率的な調剤を図ることができる。
【０００６】
（請求項２について）
鏡体部は、盛上部に置かれる錠剤の割線のうち、下面に位置する割線の像を使用者が視認できるように映す。錠剤の分割時に支持板部上の錠剤を盛上部に移動し、盛上部で錠剤の割線を挟む両側を押圧して破断する。
錠剤の分割時、割線が上面になった表向きの錠剤については、割線を直接視認できるので、請求項１と同様に錠剤の割線を挟む両側を押圧して割線に沿って半錠づつに破断する。
また、割線が下面になった裏向きの錠剤については、支持板部上の錠剤を盛上部に移動するに伴い、鏡体部に映る像により割線の位置が分かる。このため、鏡体部で割線の位置を確認することにより、表向きの錠剤の場合と同様に錠剤の割線を挟む両側を押圧して半錠づつに破断することができる。
この結果、錠剤が表向きでも裏向きでも、錠剤を盛上部に移動して押圧するだけの簡単な操作で錠剤の分割を素早く行うことができて迅速で効率的な調剤を実現することができ、とりわけ大量の錠剤を用いて迅速に調剤を行う必要のある薬局では至便である。
【０００７】
（請求項３について）
盛上部は、支持板部から上方に膨出する膨出部であり、この膨出部で分割された錠剤は、上部室から下部室に落下して分離収容される。
盛上部が支持板部に設けた膨出部であるため、簡素な構成でコスト的に有利になり、分割された錠剤は下部室に落下するので、未分割の錠剤と自動的に分離される便宜がある。  
【０００８】
（請求項４について）
支持板部には、錠剤を自重により滑り落として集合させる窪み部が形成されている。この場合、分割直前の錠剤が窪み部に溜まるので、分割時に錠剤を窪み部から盛上部に移動するといった素早い操作で済む利点がある。
【０００９】
（請求項５について）
支持板部は、分割時に錠剤を押し当てて反転させるための突部を盛上部の基端部に形成している。この場合、鏡体部を用いなくても、錠剤の反転により割線を視認しながら錠剤を分割することができる。このため、突部と鏡体部とは状況に応じて選択的に使用することができる。
【００１０】
（請求項６について）
盛上部は、支持板部の略中央部に形成した凹部の内底部に、上方に突き出る膨出部として形成されている。錠剤の分割時に錠剤を凹部に配置して膨出部に押圧する。この場合、錠剤を凹部で膨出部に押圧するといった簡単な操作で錠剤を迅速に分割することができる。
【００１１】
（請求項７について）
凹部の内底部には、押圧により分割された錠剤を通過させる通過孔が形成されている。このため、半錠づつに分割された錠剤を下部室に落とし、未分割の錠剤と自動的に分離することができる。
【００１２】
（請求項８について）
錠剤の分割時にシート状の指袋により指を覆って錠剤を押圧する。この場合、錠剤に手が直接触れないので、手の匂いを帯びる移り香や異物による汚染の虞がなく衛生的であり、逆に錠剤の成分が使用者の手に付着することもない。
指袋の使用時には、使用者の指を指袋に押し込み、指袋を指の形状に合わせて伸展させることができる。これにより、指が指袋に密着状態に包まれて錠剤を扱い易くなる。
【発明を実施するための最良の形態】
【００１３】
錠剤が割線を上面にした表向きでも下面にした裏向きでも、錠剤を盛上部に移動して押圧するだけの簡単な操作で、錠剤を割線に沿って半錠づつに素早く分割することができ、迅速で効率的な調剤行為の実現化を図る。
【実施例１】
【００１４】
図１ないし図４は本発明の実施例１を示す。図１に示すように錠剤分割装置１は、浅底で透明な円筒状の容器２を備え、この容器２の内部にプラスチックなどにより形成されたループ状のスペーサ３を配設している。スペーサ３上には、透明なアクリルにより円盤状に形成した支持板部４が配置されている。この場合、支持板部４がスペーサ３との摩擦により回り止めされ、容器２を上部室５と下部室６とに仕切っている。
【００１５】
支持板部４の一端部は、曲面状に立上がる膨出部７を正方向の曲率を有する盛上部として一体に形成している。膨出部７の裏面部に鏡体部１０を設け、割線８を有する錠剤９が膨出部７に置かれた時、鏡体部１０が割線８の像を映し、使用者が鏡体部１０により割線８を視認できるように設定している。鏡体部１０は、鏡面鍍金したシート紙の接着でもよく、膨出部７の裏面部に直接施した鍍金でもよい。また、鏡体部１０は、円形に限らず半円形、楕円形、方形、矩形、三角形、あるいは五角形、六角形や八角形などの多角形であってもよく、要は錠剤９を鏡体部１０により視認させ得る形状であればよい。
【００１６】
支持板部４における膨出部７の近傍は、例えば切欠きにより上部室５を下部室６に連通させる通過部１１Ａを形成している。支持板部４を配置した容器２には、蓋体２Ａが被せられるが、蓋体２Ａは補助的なものであり不要な場合は省略することができる。
【００１７】
錠剤９の分割時、図２の（イ）に示すように指を覆うシート状の指袋１１を着用する。この指袋１１は、図２の（イ）に一例として示すように、ポリプロピレン（ＰＰ）やポリエチレン（ＰＥ）といった縦長な合成樹脂製シートの左右端部を折曲げて袋部１１ａ、１１ｂを熱溶断により設けた廉価で簡易なものである。錠剤９の分割時には、図２の（ロ）に示すように両手の親指１２、１３を袋部１１ａ、１１ｂに入れて錠剤９に直接触れないようにする。この場合、袋部１１ａ、１１ｂは表裏反対側の位置関係にあるので、使用時に指袋１１の中央部で捩じったが、袋部１１ａ、１１ｂは表裏反対側の位置関係にあるものに限らず、互いに同一面側に存するものでもよい。
なお、袋部１１ａ、１１ｂが表裏反対側の位置関係にある場合、合成樹脂製シートの縦長寸法を短尺に構成しても、指袋１１の使用時に両手の親指１２、１３が干渉し合わないので、親指１２、１３を袋部１１ａ、１１ｂに容易に挿入することができる。また、指袋１１は、袋部１１ａ、１１ｂが繋がったまま使用してもよいし、袋部１１ａ、１１ｂを左右に引き延ばして使用してもよい。また、指袋１１を引きちぎって左右の袋部１１ａ、１１ｂを個別に使用してもよい。この場合、指袋１１を引きちぎり易くするため、袋部１１ａ、１１ｂの間の外縁部に切欠部を形成してもよい。
【００１８】
上記構成において、錠剤９が容器２の支持板部４に供せられた場合、図３の（イ）に示すように、錠剤９のうちの略半数は割線８が上面にあり、残る略半数の割線８は下面に位置することが通常である。
下面に割線８が位置する裏向きの錠剤９を分割する際、袋部１１ａ、１１ｂに親指１２、１３を入れて錠剤９を膨出部７の略中央部に移動させる。この時、錠剤９の割線８が鏡体部１０に鏡像８ａとして映るので、鏡像８ａを視認することにより割線８の方向が分かる。これにより、親指１２、１３が錠剤９の割線８を挟む両側に位置するように設定できる。この状態で、図３の（ロ）に示すように親指１２、１３で錠剤９の両側を押圧して錠剤９を割線８に沿って半錠づつに破断する。
【００１９】
この場合、錠剤９を膨出部７に配置させて親指１２、１３で錠剤９を押圧した時、錠剤９は膨出部７の表面部とθ１、θ２の角度を接線方向に形成し、作用点Ｔ１、Ｔ２で親指１２、１３から押圧力Ｐ１、Ｐ２を受ける。このため、作用点Ｔ１、Ｔ２から割線８に至る距離をｄ、ｆとすると、錠剤９は割線８で（Ｐ１×ｄ＋Ｐ２×ｆ）の曲げモーメントＭを受け、許容応力を超えて破断する。
【００２０】
半錠に分割後の錠剤９Ａは、図４に示すように通過部１１Ａから下部室６に落下して自動的に分離収容される。上部室５内の錠剤９が全て分割されて下部室６に分離収容された後、支持板部４を容器２から取外して分割後の錠剤９Ａを回収し、分包袋（図示せず）などに所定数量毎に封入して調剤を行うことができる。
また、上面に割線８が位置する表向きの錠剤９を分割する場合、使用者は割線８を直接視認することができる。このため、袋部１１ａ、１１ｂに親指１２、１３を入れて錠剤９を膨出部７の略中央部に移動させ、そのまま錠剤９の割線８を挟む両側を押圧すればよい。
この場合、鏡体部１０は、錠剤９が置かれる膨出部７と略同じ位置にあるので、割線８を視認する際、使用者が瞳を移動させる必要がなく、多量の錠剤９を分割する場合でも眼が疲れず割線８の目視を誤りにくい利点がある。
【００２１】
なお、鏡体部１０を省略した場合で、割線８が下面になった裏向きの錠剤９については、錠剤９を割線８が上面になるように表向きに反転させて錠剤９の割線８を挟む両側を押圧し、割線に沿って半錠づつに破断する。
【実施例２】
【００２２】
図５は本発明の実施例２を示す。実施例２が実施例１と異なるところは、支持板部４の略中央部にテーパ状の窪み部１４を一体に形成したことである。これにより、支持板部４上の錠剤９が自重により窪み部１４に滑り落ちて集合する。この結果、分割直前の錠剤９が窪み部１４に溜まるので、分割時に錠剤９を窪み部１４からテーパ部１４ａを介して膨出部７に移動させるといった単純な操作で済み、この点からも錠剤９の分割操作が迅速になる。
【実施例３】
【００２３】
図６は本発明の実施例３を示す。実施例３が実施例１と異なるところは、支持板部４における膨出部７の基端部に突部１５を形成したことである。この場合、支持板部４に置かれた裏向きの錠剤９を突部１５に押し当てて反転させることにより割線８が視認可能となり、分割時に錠剤９の割線８を挟む両側を容易に押圧することができる。この場合、突部１５は状況に応じて鏡体部１０と選択的に用いることができる。
【実施例４】
【００２４】
図７は本発明の実施例４を示す。実施例４が実施例１と異なるところは、ループ状のスペーサ３に代わって、脚部１６を支持板部４に一体的に形成したことである。この脚部１６は、容器２の内底部に配置されるようになっており、支持板部４の外周縁に等角度間隔で例えば四箇所に設けられている。
【実施例５】
【００２５】
図８は本発明の実施例５を示す。実施例５が実施例１と異なるところは、ループ状のスペーサ３に代わって、角柱部１７を支持板部４に一体的に形成したことである。この角柱部１７は、容器２の内底部に配置されるようになっており、支持板部４の外周部に所定の間隔を置いて例えば三箇所に設けられている。
【実施例６】
【００２６】
図９は本発明の実施例６を示す。実施例６が実施例１と異なるところは、ループ状のスペーサ３に代わって、断面略Ｌ字状の脚片部１８を支持板部４に一体的に形成したことである。この脚片部１８は、容器２の内底部に配置されるようになっており、支持板部４における通過部１１Ａの両端部から下方に延出されている。
【実施例７】
【００２７】
図１０は本発明の実施例７を示す。実施例７が実施例１と異なるところは、膨出部７に代わって、支持板部４の略中央部に環状の凹部２１を形成したことである。この凹部２１の略中央部には、図１０の（イ）に示すように上方に突き出る膨出部１９を設けている。凹部２１の内底部には、上部室５を下部室６に連通させる通過孔２２を形成している。この場合、図１０の（ロ）に示すように錠剤９を凹部２１に案内し、膨出部１９に対して押圧するだけの簡単な操作で錠剤９を素早く分割することができる。分割された錠剤９Ａは、通過孔２２を通過して下部室６に分離収容される。
【００２８】
（変形例）
なお、鏡体部１０は、膨出部７、１９の裏面部に設けたが、容器２の内底部に設けてもよく、鏡体部１０の取付位置は、錠剤９を膨出部７、１９に移動させた時に使用者が鏡体部１０により割線８の鏡像８ａを視認できる場所であればよい。膨出部７、１９は、ドーム状や断面略円弧状などの曲面部に限らず、半筒状や多角面状あるいは多段階に刻まれた稜部を有する隆起部であってもよく、要は、錠剤９を押圧した時に錠剤９の割線８に曲げモーメントＭが加わる形状であればよい。錠剤分割装置１の外形は、円形に限らず半円形、楕円形、方形、矩形、三角形、あるいは五角形、六角形や八角形などの多角形であってもよい。
指袋１１は、袋部１１ａ、１１ｂを持たず、単に細長で薄肉な伸縮可能な帯シートで、使用時に押圧により伸展し、親指１２、１３を密着状態に包むものであってもよい。また、指袋１１には、親指１２、１３に限らず、使用者の好みに応じて人指し指などを入れてもよい。
また、容器２にループ状のスペーサ３を設置したが、ループ状のスペーサ３を容器２に一体的に形成してもよい。スペーサ３は、容器２の内周面から内方に延びる棚部、突条部や櫛歯部などであってもよく、要は支持板部４を容器２内で支持するものであればよい。
【図面の簡単な説明】
【００２９】
【図１】錠剤分割装置の分解斜視図である（実施例１）。
【図２】使用説明のために示す指袋の斜視図である（実施例１）。
【図３】作用説明のために示す錠剤分割装置の斜視図である（実施例１）。
【図４】分割後の錠剤を分離収容する態様を示す錠剤分割装置の分解斜視図である（実施例１）。
【図５】錠剤分割装置の斜視図である（実施例２）。
【図６】錠剤分割装置の斜視図である（実施例３）。
【図７】錠剤分割装置の分解斜視図である（実施例４）。
【図８】錠剤分割装置の分解斜視図である（実施例５）。
【図９】錠剤分割装置の分解斜視図である（実施例６）。
【図１０】（イ）は錠剤分割装置の分解斜視図、（ロ）は凹部の縦断面図である（実施例７）。
【符号の説明】
【００３０】
１  錠剤分割装置
２  容器
３  スペーサ
４  支持板部
５  上部室
６  下部室
７、１９  膨出部（盛上部）
８  割線
８ａ  鏡像（像）
９  錠剤
１０  鏡体部
１１  指袋
１４  窪み部
１５  突部
１６  脚部
１７  角柱部
１８  脚片部
１９  膨出部
２１  凹部
２２  通過孔
【図１】
2005185774.tif 000003
【図２】
2005185774.tif 000004
【図３】
2005185774.tif 000005
【図４】
2005185774.tif 000006
【図５】
2005185774.tif 000007
【図６】
2005185774.tif 000008
【図７】
2005185774.tif 000009
【図８】
2005185774.tif 000010
【図９】
2005185774.tif 000011
【図１０】
2005185774.tif 000012